【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
２つ以上の参照ピクチャの組合せからマルチ予測ピクチャを符号化するエンコーダを備え、
前記エンコーダが、前記２つ以上の参照ピクチャのうちの特定の１つの参照ピクチャの動きベクトルを動き推定プロセスで予測し、前記２つ以上の参照ピクチャの残りの参照ピクチャの動きベクトルを前記動き推定プロセスで使用する所定値に初期化することによって、前記マルチ予測ピクチャを符号化する装置であって、
前記エンコーダは、以前の重み推定プロセスで得られた前記２つ以上の参照ピクチャに使用された重みに基づいて、前記２つ以上の参照ピクチャの動きベクトルを推定する、前記装置。
【請求項２】
前記２つ以上の参照ピクチャの前記残りの参照ピクチャが静止状態であるとみなすことによって前記２つ以上の参照ピクチャのうちの前記特定の１つの参照ピクチャの動きベクトルが予測される、請求項１に記載の装置。
【請求項３】
前記２つ以上の参照ピクチャの前記残りの参照ピクチャのうちの少なくとも１つの参照ピクチャの動きベクトルの少なくとも１つが、前記２つ以上の参照ピクチャの前記残りの参照ピクチャのうちの前記少なくとも１つの参照ピクチャの以前に計算した動きベクトルに基づいて前記所定値に初期化される、請求項１に記載の装置。
【請求項４】
反復的プロセスが前記２つ以上の参照ピクチャの動きベクトルを予測することに用いられ、
前記反復的プロセスで実行される反復の最大数が制約されるか、あるいは、前記反復的プロセスで並列に試験される前記２つ以上の参照ピクチャの最大数が制約される、請求項１に記載の装置。
【請求項５】
前記２つ以上の参照ピクチャの動きベクトルが複数の反復的プロセスを並列に用いて推定され、前記複数の反復的プロセスが、前記２つ以上の参照ピクチャの異なる参照ピクチャにそれぞれ対応する異なる初期化点を有し、
前記２つ以上の参照ピクチャのそれぞれの動きベクトルの初期値を得るために前記複数の反復的プロセスの第１のプロセスが実行され、最低の歪み測度に基づいて前記２つ以上の参照のうちの最良の初期参照が選択され、前記２つ以上の参照の前記最良の初期参照に対して得られた初期値を改良するために前記複数の反復的プロセスの後続のプロセスが実行される、請求項１に記載の装置。
【請求項６】
前記２つ以上の参照ピクチャを組み合わせて組合せ参照ピクチャを形成し、前記２つ以上の参照ピクチャ間でゼロ動きを用いることによって、前記マルチ予測ピクチャの動きベクトル情報が推定される、請求項１に記載の装置。
【請求項７】
前記マルチ予測ピクチャと比較して前記２つ以上の参照ピクチャの残りの参照ピクチャを静止状態であると別個にみなすことによって、前記２つ以上の参照ピクチャのそれぞれの動きベクトルが予測される、請求項１に記載の装置。
【請求項８】
２つ以上の参照ピクチャの組合せからマルチ予測ピクチャを符号化するステップであって、前記２つ以上の参照ピクチャのうちの特定の１つの参照ピクチャの動きベクトルを動き推定プロセスで予測し、前記２つ以上の参照ピクチャの残りの参照ピクチャの動きベクトルを前記動き推定プロセスで使用する所定値に初期化することによってマルチ予測ピクチャを符号化する、前記符号化ステップを含む方法であって、前記符号化ステップは、以前の重み推定プロセスで得られた前記２つ以上の参照ピクチャに使用された重みに基づいて、前記２つ以上の参照ピクチャの動きベクトルを推定する、前記方法。
【請求項９】
前記２つ以上の参照ピクチャの前記残りの参照ピクチャが静止状態であるとみなすことによって前記２つ以上の参照ピクチャのうちの前記特定の１つの参照ピクチャの動きベクトルが予測される、請求項８に記載の方法。
【請求項１０】
前記２つ以上の参照ピクチャの前記残りの参照ピクチャのうちの少なくとも１つの参照ピクチャの動きベクトルの少なくとも１つが、前記２つ以上の参照ピクチャの前記残りの参照ピクチャの前記少なくとも１つの参照ピクチャの以前に計算した動きベクトルに基づいて前記所定値に初期化される、請求項８に記載の方法。
【請求項１１】
前記以前に計算した動きベクトルが、少なくとも１つのダイレクト動きベクトルと、前記２つ以上の参照ピクチャより少ない数の参照ピクチャの組合せから以前に計算した動きベクトルとを含み、前記少なくとも１つのダイレクト動きベクトルが、少なくとも１つの時間的ダイレクト動きベクトルおよび少なくとも１つの空間的ダイレクト動きベクトルの少なくとも１つを含む、請求項１０に記載の方法。
【請求項１２】
反復的プロセスが前記２つ以上の参照ピクチャの動きベクトルを予測することに使用され、相関メトリックに基づいて、前記動きベクトルのうち前記所定値に初期化された前記少なくとも１つの動きベクトルおよび前記以前に計算した動きベクトルの中から、前記反復的プロセスで最初に使用する動きベクトルが決定される、請求項１０に記載の方法。
【請求項１３】
反復的プロセスが前記２つ以上の参照ピクチャの動きベクトルを予測することに用いられ、
前記反復的プロセスで実行される反復の最大数が制約されるか、あるいは、前記反復的プロセスで並列に試験される前記２つ以上の参照ピクチャの最大数が制約される、請求項８に記載の方法。
【請求項１４】
前記２つ以上の参照ピクチャの動きベクトルが複数の反復的プロセスを並列に用いて推定され、前記複数の反復的プロセスが、前記２つ以上の参照ピクチャの異なる参照ピクチャにそれぞれ対応する異なる初期化点を有し、
前記２つ以上の参照ピクチャのそれぞれの動きベクトルの初期値を得るために前記複数の反復的プロセスの第１のプロセスが実行され、最低の歪み測度に基づいて前記２つ以上の参照のうちの最良の初期参照が選択され、前記２つ以上の参照の前記最良の初期参照に対して得られた初期値を改良するために前記複数の反復的プロセスの後続のプロセスが実行される、請求項８に記載の方法。
【請求項１５】
前記２つ以上の参照ピクチャを組み合わせて組合せ参照ピクチャを形成し、前記２つ以上の参照ピクチャ間でゼロ動きを用いることによって、前記マルチ予測ピクチャの動きベクトル情報が推定される、請求項８に記載の方法。
【請求項１６】
前記マルチ予測ピクチャと比較して前記２つ以上の参照ピクチャの残りの参照ピクチャを静止状態であると別個にみなすことによって、前記２つ以上の参照ピクチャのそれぞれの動きベクトルが予測される、請求項８に記載の方法。
【請求項１７】
前記符号化ステップで、前記マルチ予測ピクチャと比較して前記２つ以上の参照ピクチャのただ１つの参照ピクチャだけを静止状態であるとみなすことによって、前記２つ以上の参照ピクチャのそれぞれの動きベクトルを予測する、請求項８に記載の方法。
【請求項１８】
前記符号化ステップで、前記２つ以上の参照ピクチャのそれぞれの動きベクトルを、それぞれに対する重みを選択することによって予測する、請求項１７に記載の方法。
【請求項１９】
前記２つ以上の参照ピクチャの前記ただ１つの参照ピクチャが、前記２つ以上の参照ピクチャの前記ただ１つの参照ピクチャが対応する特定の参照リスト、時間的接近性、前記マルチ予測ピクチャに対する最大類似性の少なくとも１つに基づいて選択される、請求項１７に記載の方法。
【請求項２０】
前記符号化ステップで、前記マルチ予測ピクチャのモード決定を実行して、一方向予測モード、ダイレクト予測モード、一方向予測を用いてそれぞれ計算した前記２つ以上の参照ピクチャの動きベクトルを使用する双方向予測モード、静止動きベクトルおよび改良された動きベクトルを用いる双方向予測モードの中から歪み測度が最小となるモードを選択し、前記２つ以上の参照ピクチャのただ１つの参照ピクチャの動きベクトルのそれぞれが、静止動きベクトルが前記２つ以上の参照ピクチャの残りの参照ピクチャに使用されることに基づいて計算される、請求項８に記載の方法。
【請求項２１】
前記符号化ステップで、さらに、歪み測度が最小となる前記モードを、前記２つ以上の参照ピクチャのうちの１つの参照ピクチャの動きベクトルの１つおよび前記改良された動きベクトル、ならびに方向動きベクトルと前記歪み測度に従って計算した動きベクトルとの少なくとも１つの組合せを用いる少なくとも１つの双方向予測モードの中から選択する、請求項２０に記載の方法。